(57)【要約】【課題】合焦および変倍のいずれにおいても案内軸により光学部品を案内するレンズ鏡筒。【解決手段】固定筒に対して変位する光学部品を含む光学系と、光学部品を保持する保持枠と、保持枠に結合され、光学系の光軸と平行に延在する案内軸と、合焦する場合に案内軸を光軸方向に移動させ、変倍する場合に案内軸を保持する直進駆動部と、直進駆動部を保持し、合焦する場合に固定筒に対して光軸方向の位置を固定され、変倍する場合に固定筒に対して移動可能な保持筒とを備える。【選択図】図１
2010197621.tif 000002
【特許請求の範囲】
【請求項１】
固定筒に対して変位する光学部品を含む光学系と、
前記光学部品を保持する保持枠と、
前記保持枠に結合され、前記光学系の光軸と平行に延在する案内軸と、
合焦する場合に前記案内軸を前記光軸方向に移動させ、変倍する場合に前記案内軸を保持する直進駆動部と、
前記直進駆動部を保持し、合焦する場合に前記固定筒に対して前記光軸方向の位置を固定され、変倍する場合に前記固定筒に対して移動可能な保持筒と
を備えるレンズ鏡筒。
【請求項２】
前記光軸に対して傾斜するカム溝と、前記カム溝に係合するカムピンとの一方を有し、変倍する場合に前記光軸の回りに回転する駆動環を備え、
前記保持筒は、前記カム溝と前記カムピンとの他方を有し、変倍する場合に前記光軸方向に移動する請求項１に記載のレンズ鏡筒。
【請求項３】
前記カムピンは、前記光学部品の周方向について、前記案内軸の近傍に配される請求項２に記載のレンズ鏡筒。
【請求項４】
前記案内軸は、前記案内軸の周面と相補的な形状の嵌合穴に挿通され、軸方向に摺動自在に位置決めされる請求項１から請求項３までのいずれかに記載のレンズ鏡筒。
【請求項５】
前記保持筒は、前記直進駆動部を前記光軸方向に挟んで配された一対の嵌合部を有し、
前記一対の嵌合部の各々は、前記案内軸の周面と相補的な形状の嵌合穴を有する請求項４に記載のレンズ鏡筒。
【請求項６】
前記レンズ鏡筒の外部から操作されて前記光軸の回りを回転する操作環と、
前記操作環の回転量を検出する回転検出部と
を備え、
前記直進駆動部は、前記回転検出部が検出した回転量に応じて前記案内軸を前記光軸方向に移動させる請求項１から請求項５までのいずれかに記載のレンズ鏡筒。
【請求項７】
前記直進駆動部により駆動された前記案内軸の移動量を検出する直進検出部と、
前記直進検出部の検出結果に応じて前記直進駆動部の駆動量を制御する制御部と
を更に備える請求項１から請求項６までのいずれかに記載のレンズ鏡筒。
【請求項８】
請求項１から請求項７までのいずれかに記載のレンズ鏡筒と、
前記レンズ鏡筒により結像された像を記録する撮像部と
を備える撮像装置。
【発明の詳細な説明】
【技術分野】
【０００１】
本発明は、レンズ鏡筒および撮像装置に関する。
【背景技術】
【０００２】
下記の特許文献１には、カム機構により複数のレンズ群を個別に移動させて、焦点位置と焦点距離とを変化させる内焦式ズームレンズ鏡筒の構造が記載される。
【先行技術文献】
【特許文献】
【０００３】
【特許文献１】特開２０００−０８９０８６号公報
【発明の概要】
【発明が解決しようとする課題】
【０００４】
上記の構造は、多数の部材を組み合わせた複雑な構造を有して、組み立て工数が多いので生産性が高いとはいえなかった。また、レンズ鏡筒としての性能に部品精度、組み立て精度等が強く影響するので、性能向上はコスト上昇に直結する。
【課題を解決するための手段】
【０００５】
そこで、上記課題を解決すべく、本発明の第１の態様として、固定筒に対して変位する光学部品を含む光学系と、光学部品を保持する保持枠と、保持枠に結合され、光学系の光軸と平行に延在する案内軸と、合焦する場合に案内軸を光軸方向に移動させ、変倍する場合に案内軸を保持する直進駆動部と、直進駆動部を保持し、合焦する場合に固定筒に対して光軸方向の位置を固定され、変倍する場合に固定筒に対して移動可能な保持筒とを備えるレンズ鏡筒が提供される。
【０００６】
また、本発明の第２の態様として、上記レンズ鏡筒と、レンズ鏡筒により結像された像を記録する撮像部とを備える撮像装置提供される。
【０００７】
上記の発明の概要は、本発明の必要な特徴の全てを列挙したものではない。また、これらの特徴群のサブコンビネーションもまた、発明となりうる。
【図面の簡単な説明】
【０００８】
【図１】広角端に変倍したレンズ鏡筒１００の断面図である。
【図２】望遠端に変倍したレンズ鏡筒１００の断面図である。
【図３】レンズ鏡筒１００の他の構造を示す断面図である。
【図４】撮像装置３００の模式的断面図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１は、レンズ鏡筒１００の断面図である。レンズ鏡筒１００は、共通の光軸Ｘ上に順次配列された５群のレンズＬ１、Ｌ２、Ｌ３、Ｌ４、Ｌ５を備える。レンズＬ１、Ｌ２、Ｌ３、Ｌ４、Ｌ５は、それぞれレンズ枠１６０、１９０、７０、８０、９０に保持される。なお、レンズ鏡筒１００は内焦式ズームレンズであり、図はレンズ鏡筒１００が広角端にある状態を示す。
【００１１】
レンズ鏡筒１００は、イメージセンサ等を含む撮像部２００に対して固定される固定筒１１０を有する。固定筒１１０の前端側外周には、互いに同軸な内筒１４０、中筒１５０、外筒１６１およびズームリング１３０が内側からこの順に配される。
【００１２】
また、固定筒１１０外側の後端寄りには、ピントリング１２０が回転自在に配される。更に、固定筒１１０内側には、固定筒１１０に対して回転自在に配されたカム筒１７０と、カム筒１７０の更に内側に、光軸Ｘと平行に配された一対のガイドバー１９２、１９４とが配される。
【００１３】
固定筒１１０は、図中で右端になる後端にマウント１１８を有する。マウント１１８により撮像部２００に対して結合された固定筒１１０は、固定筒１１０後端のマウント面１１９が撮像部２００の前面に密接する。これにより、レンズ鏡筒１００全体が、撮像部２００に対して位置決めされる。
【００１４】
内筒１４０は、光軸Ｘ方向に配された直進溝１４２と、直進溝１４２とは異なる位置に配された逃げ穴１４４と、内筒１４０の径方向内側に向かって突出するカムフォロワ１４６とを有する。カムフォロワ１４６は、固定筒１１０に光軸Ｘ方向に形成された直進溝１１６を貫通する。これにより、内筒１４０は、固定筒１１０に対して、回転することなく光軸Ｘ方向に移動する。
【００１５】
また、カムフォロワ１４６の先端は、カム筒１７０のカム溝１７５に係合する。これにより、カム筒１７０が回転した場合に、内筒１４０を光軸Ｘ方向に移動させる駆動力が、カム溝１７５からカムフォロワ１４６に伝えられる。
【００１６】
中筒１５０は、光軸Ｘに対して傾斜したカム溝１５２と、径方向外側に向かって突出するカムフォロワ１５４と、光軸Ｘ方向に配された直進溝１５６とを有する。また、中筒１５０は、係合溝１５８において、内筒１４０の係合突起１４８に係合する。これにより、中筒１５０は、光軸Ｘ方向については固定筒１１０に対して内筒１４０と一体的に移動しつつ、光軸Ｘ回りについては個別に回転自在となる。
【００１７】
外筒１６１は、その径方向内側に向かって突出するカムフォロワ１６２を有する。カムフォロワ１６２は、中筒１５０のカム溝１５２と、内筒１４０の直進溝１４２とに係合する。また、外筒１６１の前端は、レンズＬ１を保持するレンズ枠１６０に結合される。
【００１８】
ズームリング１３０は、外部から回転操作された場合に、固定筒１１０の回りを回転するように装着される。ズームリング１３０は、光軸Ｘ方向と平行に延在する直線状の案内溝１３２を内面に有する。案内溝１３２は、中筒１５０のカムフォロワ１５４に係合する。これにより、ズームリング１３０が回転操作された場合、中筒１５０も光軸Ｘの回りに回転する。
【００１９】
カム筒１７０は、固定筒１１０の内側に回転自在に配される。また、カム筒１７０は、それぞれが光軸Ｘに傾斜して配されたカム溝１７１、１７３、１７５と、前端に連結部材１７４を介して固定されたカムフォロワ１７２とを有する。
【００２０】
カムフォロワ１７２は、内筒１４０の逃げ穴１４４を通じて、中筒１５０の直進溝１５６に係合する。カム溝１７３は、固定筒１１０の内面に突出して固定されたカムピン１１５に係合する。カム溝１７５は、内筒１４０のカムフォロワ１４６に係合する。また他のカム溝１７１については後述する。
【００２１】
ガイドバー１９２、１９４は、固定筒１１０の内面に配された支持部１１２、１１４に支持され、互いに光軸Ｘに対して対称に配される。ここで、図中で上側に配された一対の支持部１１２は、ガイドバー１９２の外周の形状と相補的な形状の嵌合穴１１１を有して、ガイドバー１９２を嵌合穴１１１に挿通される。これにより、ガイドバー１９２は、光軸Ｘ方向に移動することを許されつつ、その他の方向の変位は規制される。従って、ガイドバー１９２に連結されたレンズ枠１９０およびレンズＬ２は、光軸Ｘ方向に限って移動する。
【００２２】
また、図中で下側に配された一対の支持部１１４は、ガイドバー１９４の径と同じ間隔の平行面を有するＵ字溝１１３を有して、Ｕ字溝１１３に挿通される。これにより、ガイドバー１９４は、ガイドバー１９２を軸とした光軸Ｘ方向に移動することを許されつつ、紙面に対して交差する方向の変位は規制される。従って、ガイドバー１９２に連結されたレンズ枠１９０が、ガイドバー１９２を軸として回転することが規制される。
【００２３】
また、ガイドバー１９２、１９４の前端は、レンズＬ２を保持したレンズ枠１９０に固設されて、レンズ枠１９０より連結されて一体となる。これにより、ガイドバー１９２、１９４は、レンズ枠１９０と一体的に光軸Ｘ方向に直進移動する。
【００２４】
ピントリング１２０は、固定筒１１０の外周面において、ズームリング１３０のやや後方に、回転自在に配される。また、ピントリング１２０の下には、ピントリング１２０の回転量を検出する回転量検出部１２２が配される。回転量検出部１２２は、外部からの回転操作により回転されたピントリング１２０の回転量を検出して、回転量に応じた電気信号である回転量信号を発生する。
【００２５】
上記のような回転量検出部１２２は、例えば、ピントリング１２０と共に回転するロータリスケールと、そのスケールを計数する光学センサを用いて形成できる。また、ピントリング１２０と共に回転する磁性体と、当該磁性体の移動により生じる磁界の変化を計測する磁気センサを用いても形成できる。ただし、これらは一例に過ぎず、他の構造とすることを妨げない。
【００２６】
更に、レンズ鏡筒１００は、固定筒１１０の内側に、保持環１８０、リニアアクチュエータ１８１および移動量検出部１８３を備える。保持環１８０は、カム筒１７０の更に内側に配されて、ガイドバー１９２、１９４を挿通される。
【００２７】
ここで、保持環１８０は、ガイドバー１９２を挿通される一対の嵌合穴１８６を有する。嵌合穴１８６は、ガイドバー１９２の外周面と相補的な形状を有する。これにより、保持環１８０は、光軸Ｘ方向への移動を許容されつつ、その他の方向への変位を規制される。
【００２８】
また、保持環１８０は、カム筒１７０のカム溝１７１に係合するカムフォロワ１８２を外周面に有する。これにより、カム筒１７０が光軸Ｘの回りに回転した場合に、保持環１８０は、光軸Ｘ方向に直線移動する。このような動作に鑑み、カムフォロワ１８２は、ガイドバー１９２の延長線上かその近傍に配されることが好ましい。これにより、カムフォロワ１８２に対する駆動効率が向上される。
【００２９】
更に、保持環１８０は、ガイドバー１９４を挿通される一対のＵ字溝１８８を有する。これにより、保持環１８０が、ガイドバー１９２を軸として回転することが規制される。従って、カム筒１７０からカムフォロワ１８２を押された場合に、レンズ枠１９０およびレンズＬ２を光軸に沿って、ぶれることなく移動させることができる。
【００３０】
リニアアクチュエータ１８１は、ガイドバー１９２を挿通されつつ、光軸Ｘ方向の両端を保持環１８０により挟まれて保持される。駆動信号を受けて動作した場合、リニアアクチュエータ１８１はガイドバー１９２を光軸Ｘ方向に移動させる。また、動作していない場合、リニアアクチュエータ１８１は、ガイドバー１９２を把持して軸方向の変位を規制する。換言すれば、動作していないリニアアクチュエータ１８１は、ガイドバー１９２が変位した場合に一体的に移動する。
【００３１】
なお、上記のようにガイドバー１９２に対する駆動力と保持力とを併せ備えたリニアアクチュエータ１８１としては、例えば、圧電材料、電歪材料等の電気機械変換素子を用いたアクチュエータを例示できる。また、リニアアクチュエータ１８１において、磁力アクチュエータのように自己保持機能を持たないデバイスにより駆動力を発生させる場合は、動作していない場合にガイドバー１９２を把持する機構を別途設けてもよい。
【００３２】
移動量検出部１８３は、リニアアクチュエータ１８１がガイドバー１９２を直線移動させた場合に、ガイドバー１９２の移動量を計測して、移動量に応じた電気信号を発生する。これにより、例えば、ガイドバー１９２の移動量を参照しつつリニアアクチュエータ１８１の動作量を帰還制御して、ガイドバー１９２の先端に支持されたレンズ枠１９０に保持されたレンズＬ２を、合焦に求められる移動量に応じて正確に移動させることができる。
【００３３】
なお、移動量検出部１８３は、例えば、ガイドバー１９２と一体的に移動するリニアスケールとそのスケールを計数する光学センサにより形成できる。また、ガイドバー１９２と共に移動する磁性体と、当該磁性体の移動により生じる磁界の変化を計測する磁気センサによっても形成できる。ただし、これらは一例に過ぎず、他の構造とすることを妨げない。
【００３４】
更に、レンズ鏡筒１００は、回転量検出部１２２および移動量検出部１８３が送信する回転量信号および移動量信号を受けてリニアアクチュエータ１８１の動作を制御する鏡筒制御部１８５を備える。鏡筒制御部１８５は、回転量信号を受信すると、それに応じた駆動信号をリニアアクチュエータ１８１に供給する。また、鏡筒制御部１８５は、移動量信号を受信して、リニアアクチュエータ１８１の駆動量を帰還制御する。
【００３５】
上記のような構造を有するレンズ鏡筒１００において、リニアアクチュエータ１８１が停止してガイドバー１９２を保持した状態でカム筒１７０を回転させると、カム溝１７１およびカムフォロワ１８２の係合により、保持環１８０、ガイドバー１９２およびレンズ枠１９０が一体的に移動する。これにより、レンズＬ２は、光軸Ｘ方向に移動する。
【００３６】
また、カム筒１７０が固定された状態でリニアアクチュエータ１８１を動作させた場合は、ガイドバー１９２およびレンズ枠１９０が一体的に移動するので、やはりレンズＬ２は光軸Ｘ方向に移動する。このように、レンズ鏡筒１００は、レンズＬ２を移動させる２通りの機構を有する。従って、その一方を変倍に、他方を合焦に割り当てて、レンズＬ２を移動させることができる。
【００３７】
なお、他のレンズＬ１、Ｌ３、Ｌ４、Ｌ５については、レンズ鏡筒１００を変倍する場合に限って移動させればよいので、既存の移動機構を用いることができる。即ち、カム筒１７０および固定筒に設けたカム溝および直進溝によりレンズ枠７０、８０、９０を案内して移動させてもよい。また、ガイドバー１９２、１９４を利用してレンズ枠７０、８０、９０を案内する構造としてもよい。
【００３８】
図２は、レンズ鏡筒１００の断面図であって、レンズ鏡筒１００が望遠端までズームされた状態を示す。図１と共通の要素には同じ参照番号を付して重複する説明を省き、レンズ鏡筒１００の動作について主に説明する。
【００３９】
レンズ鏡筒１００において、ズームリング１３０が光軸Ｘの回りに回転する回転操作を受けた場合、案内溝１３２に係合するカムフォロワ１５４を通じて回転駆動力が伝えられた中筒１５０が回転する。中筒１５０が回転した場合、外筒１６１は、カム溝１５２からカムフォロワ１６２に伝えられた駆動力により、直進溝１４２に沿って光軸Ｘ方向に移動する。これにより、外筒１６１の先端に結合されたレンズ枠１６０と、レンズ枠１６０に保持されたレンズＬ１とが一体的に移動する。
【００４０】
また、中筒１５０が回転した場合、直進溝１５６に係合するカムフォロワ１７２を通じて、カム筒１７０にも回転が伝えられる。これにより、カム筒１７０は、光軸Ｘの回りに回転する。
【００４１】
カム筒１７０が回転した場合、カム溝１７１に係合するカムフォロワ１８２を通じて保持環１８０が駆動される。これにより、保持環１８０は、ガイドバー１９２、１９４に案内されて光軸Ｘ方向に移動する。このとき、リニアアクチュエータ１８１は動作しておらず、ガイドバー１９２を把持している。従って、ガイドバー１９２、レンズ枠１９０およびレンズＬ２は、保持環１８０と一体的に光軸Ｘ方向に移動する。
【００４２】
また、カム溝１７３に係合するカムピン１１５は固定筒１１０に固定されているので、カム筒１７０が回転した場合、カム筒１７０自身も、固定筒１１０の内面に沿って光軸Ｘ方向に移動する。更に、カム筒１７０が回転した場合、カム溝１７５に係合するカムフォロワ１４６を通じて駆動された内筒１４０も光軸Ｘ方向に移動する。
【００４３】
これらの一連の動作により、レンズ鏡筒１００は延伸または短縮され、レンズＬ１およびレンズＬ２の間隔が広がる。従って、レンズ鏡筒１００全体の焦点距離が変化する。レンズ鏡筒１００のズーム動作においては他のレンズＬ３、Ｌ４、Ｌ５も移動して相互の間隔が変化する。
【００４４】
なお、外筒１６１およびズームリング１３０の間には、固定筒１１０に対して同軸に装着されたカバー筒１６５が配される。カバー筒１６５は、外筒１６１に連れ従って進退して、外筒１６１およびズームリング１３０の間を封止する。これにより、レンズ鏡筒１００の内部に塵芥が浸入することが防止される。
【００４５】
このように、ズームリング１３０が回転操作された場合、レンズ鏡筒１００は全体に延伸または短縮して、レンズＬ１、Ｌ２、Ｌ３、Ｌ４、Ｌ５相互の間隔が変化する。これに対して、ピントリング１２０が回転操作された場合、回転量検出部１２２は、ピントリング１２０の回転量に応じた回転量信号を鏡筒制御部１８５に送信する。鏡筒制御部１８５は、受信した回転量信号に応じた駆動信号をリニアアクチュエータ１８１に供給する。これにより、リニアアクチュエータ１８１は、ピントリング１２０の回転量に応じて動作する。
【００４６】
リニアアクチュエータ１８１が動作した場合、ガイドバー１９２を光軸Ｘ方向に移動させる。移動量検出部１８３は、ガイドバー１９２の直線移動量を計測して、計測結果に応じた移動量信号を、鏡筒制御部１８５に送信する。移動量信号を受信した鏡筒制御部１８５は、移動量信号を参照して駆動信号を補正する。これにより、レンズＬ２を正確な移動量で駆動できる。
【００４７】
図３は、レンズ鏡筒１００の他の構造を示す断面図である。このレンズ鏡筒１００は、以下に説明する部分を除いて、図１および図２に示したレンズ鏡筒１００と共通の構造を有する。そこで、図１および図２と共通の要素には同じ参照番号を付して重複する説明を省く。
【００４８】
このレンズ鏡筒１００は、ガイドバー１９２を挿通されたリニアアクチュエータ１８１に加えて、ガイドバー１９４を挿通されたリニアアクチュエータ１８７を更に備える点に固有の構造を有する。付加されたリニアアクチュエータ１８７は、保持環１８０に保持され、動作していない場合は、ガイドバー１９４を保持する。これにより、保持環１８０が移動した場合、ガイドバー１９４も保持環１８０と一体的に移動する。
【００４９】
また、リニアアクチュエータ１８１、１８７は同時に動作して、ガイドバー１９２、１９４をそれぞれ駆動する。これにより、レンズＬ２を保持したレンズ枠１９０は、図中の上下両端で同時に駆動されて円滑に移動する。
【００５０】
なお、上記の例では、一対のリニアアクチュエータ１８１、１８７を同時に動作または停止させる場合について説明した。しかしながら、一対のリニアアクチュエータ１８１、１８７を個別に動作させることにより、レンズ枠１９０およびレンズＬ２の光軸Ｘに対する傾きを変化させることもできる。これにより、レンズＬ２の傾きに起因する光学系の特性を、リニアアクチュエータ１８１、１８７を用いて補償することもできる。
【００５１】
図４は、レンズ鏡筒１００を備えた撮像装置３００の構造を模式的に示す図である。なお、図面の記載が煩雑になることを避ける目的で、図４においてはレンズ鏡筒１００を模式的に記載した。しかしながら、図４におけるレンズ鏡筒１００は、図１から図３までに示したレンズ鏡筒１００と同じ構造を有する。そこで、共通の構成要素には同じ参照番号を付して重複する説明を省いた。
【００５２】
撮像装置３００は、レンズ鏡筒１００および撮像部２００を含む。レンズ鏡筒１００は、撮像部２００のマウント部２６０に着脱自在に装着される。
【００５３】
撮像装置３００に装着されたレンズ鏡筒１００は、図示していない接続端子を介して、撮像部２００に対して電気的にも結合される。これにより、レンズ鏡筒１００は、撮像部２００から電力を供給される。また、レンズ鏡筒１００側らか撮像部２００側に信号も送信される。
【００５４】
撮像部２００は、主鏡２４０、ペンタプリズム２７０、接眼光学系２９０を含む光学系と、主制御部２５０とを収容する。主鏡２４０は、レンズ鏡筒１００の光学系を介して入射した入射光の光路上に傾斜して配置される待機位置と、入射光を避けて上昇する撮影位置（図中に点線で示す）との間を移動する。
【００５５】
待機位置にある主鏡２４０は、入射光の大半を、上方に配置されたフォーカシングスクリーン２７２に導く。フォーカシングスクリーン２７２は、レンズ鏡筒１００の光学系が合焦した場合に像を結ぶ位置に配置され、当該像を可視化する。
【００５６】
フォーカシングスクリーン２７２に結像された画像は、ペンタプリズム２７０を介して接眼光学系２９０から観察される。これにより、接眼光学系２９０からは、フォーカシングスクリーン２７２上の映像を正像として見ることができる。
【００５７】
ペンタプリズム２７０および接眼光学系２９０の間にはハーフミラー２９２が配置される。ハーフミラー２９２は、ファインダＬＣＤ２９４に形成された表示画像を、フォーカシングスクリーン２７２の映像に重畳させる。これにより、接眼光学系２９０の出射端において、フォーカシングスクリーン２７２の映像と、ファインダＬＣＤ２９４の映像とを併せて見ることができる。なお、ファインダＬＣＤ２９４には、撮像装置３００の撮影条件、設定条件等の情報が表示される。
【００５８】
また、ペンタプリズム２７０の出射光の一部は、測光部２８０に導かれる。測光部２８０は、入射光の強度およびその分布等を測定して、撮影条件を決定する場合に測定結果を参照させる。
【００５９】
一方、入射光の入射面に対する主鏡２４０の裏面には、副鏡２４２が配置される。副鏡２４２は、主鏡２４０を透過した入射光の一部を、下方に配置された焦点検出装置２３０に導く。これにより、主鏡２４０が待機位置にある場合は、焦点検出装置２３０が光学系の焦点調整状態を検出する。なお、主鏡２４０が撮影位置に移動した場合は、副鏡２４２も入射光の光路から退避する。
【００６０】
レンズ鏡筒１００からの入射光に対して主鏡２４０の後方には、シャッタ２２０、光学フィルタ２１２および撮像素子２１０が光軸に沿って配置される。シャッタ２２０が開放される場合は、その直前に主鏡２４０が撮影位置に移動するので、入射光は直進して撮像素子２１０に入射される。これにより、入射光の形成する画像が、撮像素子２１０において電気信号に変換される。
【００６１】
また、撮像部２００は、レンズ鏡筒１００に対して背面において、外部に面したメインＬＣＤ２９６を備える。メインＬＣＤ２９６は、撮像部２００に対する各種の設定情報を表示する他、主鏡２４０が撮影位置に移動している場合に撮像素子２１０に形成された画像を表示することもできる。
【００６２】
主制御部２５０は、上記のような種々の動作を総合的に制御する。また、撮像部２００側の焦点検出装置２３０が検出した被写体までの距離の情報を参照して、レンズ鏡筒１００を駆動するオートフォーカス機構を形成できる。更に、焦点検出装置２３０がレンズ鏡筒１００の動作量を参照して、フォーカスエイド機構を形成することもできる。
【００６３】
更に、主制御部２５０は、レンズ鏡筒１００のマイクロプロセッサと情報を交換して、絞り装置２２２の開閉等も制御する。更に、主制御部２５０は、露出の自動化、シーンモードの実行、ブラケット撮影の実行等にも寄与する。
【００６４】
以上、本発明を実施の形態を用いて説明したが、本発明の技術的範囲は上記実施の形態に記載の範囲には限定されない。上記実施の形態に、多様な変更または改良を加え得ることは当業者に明らかである。また、そのような変更または改良を加えた形態も本発明の技術的範囲に含まれ得ることは、特許請求の範囲の記載から明らかである。
【００６５】
特許請求の範囲、明細書および図面に示した装置、システム、プログラムおよび方法における動作、手順、ステップおよび段階等の実行順序は、特段「より前に」、「先立って」等と明示しておらず、また、前の処理の出力を後の処理で用いるのでない限り、任意の順序で実現し得ることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６６】
７０、８０、９０、１６０、１９０  レンズ枠、１００  レンズ鏡筒、１１０  固定筒、１１１  嵌合穴、１１２、１１４  支持部、１１３、１８８  Ｕ字溝、１１５  カムピン、１１６、１４２、１５６  直進溝、１１８  マウント、１１９  マウント面、１２０  ピントリング、１２２  回転量検出部、１３０  ズームリング、１３２  案内溝、１４０  内筒、１４４  逃げ穴、１４６、１６２、１７２  カムフォロワ、１４８  係合突起、１５０  中筒、１５２、１７１、１７３、１７５  カム溝、１５４  カムフォロワ、１５８  係合溝、１６０  レンズ枠、１６１  外筒、１６５  カバー筒、１７０  カム筒、１７２  カムフォロワ、１７４  連結部材、１８０  保持環、１８１、１８７  リニアアクチュエータ、１８２  カムフォロワ、１８３  移動量検出部、１８５  鏡筒制御部、１８６  嵌合穴、１９０  レンズ枠、１９２、１９４  ガイドバー、２００  撮像部、２１０  撮像素子、２１２  光学フィルタ、２２０  シャッタ、２２２  絞り装置、２３０  焦点検出装置、２４０  主鏡、２４２  副鏡、２５０  主制御部、２６０  マウント部、２７０  ペンタプリズム、２７２  フォーカシングスクリーン、２８０  測光部、２９０  接眼光学系、２９２  ハーフミラー、２９４  ファインダＬＣＤ、２９６  メインＬＣＤ、３００  撮像装置
【図１】
2010197621.tif 000003
【図２】
2010197621.tif 000004
【図３】
2010197621.tif 000005
【図４】
2010197621.tif 000006